(57)【特許請求の範囲】
【請求項１】
筐体本体の開口部を開閉する扉を２枚の扉板の側端縁を突き合わせて外折れ状に２つ折り可能に連結された折戸とした電磁シールド筐体であって、前記扉板の連結部の内面側に導電性を有しかつ折曲自在な防磁性シートを扉板の全長にわたり取付け、前記折戸を構成する扉板の上下端のガイドローラが係合するレールの末端部位を筐体の内方に向けて湾曲させ、折戸の扉板のガイドローラが前記レールの湾曲部に移行したときその扉板の側端部が筐体本体の開口縁の導電性を有する防磁性パッキン材に密着押圧するようにされている電磁シールド筐体。
【請求項２】
筐体本体の開口部を開閉する扉を２枚の扉板の側端縁を突き合わせて外折れ状に２つ折り可能に連結された折戸とした電磁シールド筐体であって、前記扉板の連結部の内面側に導電性を有しかつ折曲自在な防磁性シートを扉板の全長にわたり、扉板とこれを連結する蝶板との間に介在して取付けたことを特徴とする電磁シールド筐体。
【発明の詳細な説明】
【０００１】
【発明の属する技術分野】
本発明は電子機器を収容する筐体に係り、特に電磁波の漏洩を防止する電磁シールド筐体に関する。
【０００２】
【従来の技術】
通信機器をはじめ各種電子機器を収容する筐体として、従来から金属製のロッカー構造のものが用いられている。
【０００３】
上記従来の筐体は、図６に略示平面図を示すように、筐体本体１の開口部の両側部に左右の扉２、２の基部が軸３、３により枢支されて同図に２点鎖線で示すように観音開き状に開閉自在とされており、その扉２，２の合わせ端２ａ、２ａ間には図７に示すように導電性を有する弾性体からなる防磁用パッキン材４がいずれか一方の扉２に取付けられ、扉２，２を閉じたとき両者の合わせ端２ａ，２ａ間が防磁用パッキン材４により密封されて筐体本体１内に収容される電子機器からの電磁波が外部に漏洩しないようになされている。
【０００４】
【発明が解決しようとする課題】
しかるに上記従来の筐体構造では、扉２，２の閉止時にその合わせ端２ａ，２ａ間に介在する防磁用パッキン材４が圧縮されるためその際の反発力により合わせ端２ａが外側となる扉２の合わせ端２ａが撓んで浮き上がり、合わせ端２ａを平坦に保つことが難しく、その結果防磁用パッキン材４の圧縮厚も均一にならず、電磁波のシールド効果を十分に維持することが難しかった。
【０００５】
【課題を解決するための手段】
本発明は、上記従来の技術の問題点を解消し、防磁効果を一段と高めることができる電磁シールド筐体を提供することを課題としてなされたもので、その解決手段として本発明は、筐体本体の開口部を開閉する扉を２枚の扉板の側端縁を突き合わせて外折れ状に２つ折り可能に連結された折戸とし、前記扉板の連結部の内面側に導電性を有しかつ折曲自在な防磁性シートを扉板の全長にわたり取付けたことにある。
【０００６】
前記折戸を構成する扉板の上下端のガイドローラが係合するレールの末端部位を筐体本体の内方に向けて湾曲させ、折戸の扉板のガイドローラが前記レールの湾曲部に移行したときその扉板の側端部が筐体本体の開口縁の導電性を有する防磁性パッキン材に密着押圧するようにすることが好ましい。さらに前記防磁性シートは、扉板とこれを連結する蝶板との間に介在して取付けるようにすることにより取付けが簡単でかつ防磁効果を高めることができる。
【０００７】
【発明の実施の形態】
以下、本発明を図面に示す実施の形態を参照して説明する。
【０００８】
図１は本発明による電磁シールド筐体の扉を若干開けた状態時の外観を示し、図２は同水平断面を示しており、上記筐体の本体１０（以下単に本体という）は金属板（鋼板）を主体として縦長直方体形状に形成されたもので、その前面が開放され、この開口部１１に折戸１２が設けられていて開口部１１を開閉自在とされている。
【０００９】
上記折戸１２は、金属板を主体とする同大同形の２枚の扉板１３，１４からなっており、その相隣り合う側端縁を突き合わせてその内面側の上下または上中下部位置にヒンジ１５が取付けられて２枚の扉板１３，１４が外折れ状に屈曲可能なように連結されている。
【００１０】
上記ヒンジ１５による連結部の扉板１３，１４の内面側には、両扉板１３，１４に跨がって防磁性シート１６が添設されている。この防磁性シート１６は、例えば図３（Ｂ）に一部の拡大断面を示すように、織布、不織布等の布帛１６ａの一面に銅、ニッケル等の金属材１６ｂによるメッキを施し、他面にビニール等の樹脂１６ｃにより補強したシート材とされ、その側端部を金属材１６ｂを表面側として折り曲げて使用される。そして上記防磁性シート１６は、図３（Ａ）に当該部分の断面図を示すように、前記扉板１３，１４の内面とヒンジ１５との間に挟み込むようにして取付けられる。
【００１１】
前記折戸１２の各扉板１３，１４の上下端部には、通常の折戸と同様にローラ１７，１８（詳細は図示省略）が設けられており、本体１０の開口部１１の上下縁に設置されたレール１９に前記ローラ１７，１８が係合して図２に実線で示す閉止状態から同図に鎖線で示す開放状態にわたり外折れ状に開閉自在とされている。
【００１２】
前記上下のレール１９の末端（閉じ側の端部）は、図４に示すように本体１０の内方に向け若干湾曲する湾曲部１９ａとされており、この湾曲部１９ａのある側の本体１０の開口縁１０ａには図５に示すように扉板１３の側端の内隅部に傾斜して形成された当接面１３ａが当る位置に導電性弾性体からなるパッキン材２０が添設されている。したがって折戸１２の２枚の扉板１３，１４を平坦状になるように閉じると、その閉じきる直前で扉板１３のローラ１７がレール１９の湾曲部１９ａにそって本体１０の内方へ図５に矢印で示すように若干誘導され、これにより扉板１３の当接面１３ａが前記パッキン材２０に密着して電磁波の漏洩がないよう閉止される。
【００１３】
前記折戸１２の扉板１３には、詳細は図示しないが一般の折戸の場合と同様に扉板１３に設けられたハンドル２１の操作により扉板１３の上下端から出没するロックバーを有し、折戸１２を閉じたとき上記ロックバーの先端が本体１０のロック穴に係合してロックされ、ハンドル２１を引くことによりロックバーがロック穴から抜けて折戸１２を開けることができるようになされている。図２においてａ，ａはそのロック位置のみを示している。
【００１４】
次に作用を説明する。
【００１５】
折戸１２が図２に実線で示すように閉じているときは、扉板１３が本体１０にロックされて閉止状態が保たれているとともに扉板１３の側端のローラ１７がレール１９の湾曲部１９ａに位置することによってその扉板１３の当接面１３ａが本体１０側の防磁性パッキン材２０に圧接しており、これにより折戸１２の扉板１３，１４の連結部に設けられている防磁性シート１６と上記防磁性パッキン材２０とにより本体１０内の電子機器からの電磁波が外部に漏洩することが防がれる。
【００１６】
折戸１２を開けるには、扉板１３のハンドル３１に手を掛けて引くと、ロックが解かれるとともに扉板１４がレール１９にそってスライドし、図２に鎖線で示すように本体１０の開口部１１の片側に折り畳まれて寄せられ、開口部１１が全開して電子機器の出し入れやメンテナンスを行うことができる。この折戸１２の折り畳み時には、扉板１３，１４の連結部をシールドする防磁性シート１６はヒンジ１５とともに屈曲し、折戸１２の折り畳みに追従して共に折り畳まれる。
【００１７】
折戸１２を閉じるときは、折り畳み状態から平坦状になるようにハンドル３１に手を掛けてスライドさせれば、扉板１３，１４はそのローラ１７，１８とレール１９との係合によって閉じ方向に伸展し、閉じ終る直前で扉板１３のローラ１７がレール１９の湾曲部１９ａに進入し、扉板１３の側端が本体１０の内方へ若干誘導されてその扉板１３の当接面１３ａが防磁性パッキン材２０に圧着し、この時点でロックが掛り、閉止状態が保たれる。また扉板１３，１４の連結部は防磁性シート１６の伸展により目貼り状に塞ぎ、電磁波の漏出を防止する。
【００１８】
【発明の効果】
以上説明したように本発明によれば、筐体の開口部を開閉する扉を２枚の扉板を外折れ状に連結した折戸とし、その折戸の連結部の内面側に防磁性シートを添設したので、扉板間は常に防磁性シートによりシールドされる状態におかれ、閉止時に扉板同時が不揃いとなることがなく、本体内の電子機器からの電磁波の漏出を確実に防止することができる。
【００１９】
また請求項２のように扉板のレールの末端に湾曲部を設けるようにすれば、折戸の閉止時に扉板の側端部を本体の防磁性パッキン材に確実に密着させることができ、戸当り部分での電磁波の漏洩を防止することができる。
【図面の簡単な説明】
【図１】本発明による電磁シールド筐体の一実施形態の折戸を若干開けた状態時の斜視図。
【図２】同、水平断面図。
【図３】（Ａ）は図２の一部の拡大図、（Ｂ）は（Ａ）の防磁性シートの部分拡大断面図。
【図４】図１におけるレールの末端部を示す平面図。
【図５】折戸を閉止したときのシールド部分の拡大図。
【図６】従来の筐体の略示水平断面図。
【図７】図６の扉の合わせ部の拡大図。
【符号の説明】
１，１０  筐体本体
１１  開口部
１２  折戸
１３，１４  扉板
１５  ヒンジ
１６  防磁性シート
１７，１８  ローラ
１９  レール
１９ａ  湾曲部
２０  パッキン材
２１  ハンドル
【図１】
0003922766.tif 000002
【図２】
0003922766.tif 000003
【図３】
0003922766.tif 000004
【図４】
0003922766.tif 000005
【図５】
0003922766.tif 000006
【図６】
0003922766.tif 000007
【図７】
0003922766.tif 000008